(57)【要約】【課題】  レセプター支持体の形状を工夫することにより、レセプターの乳房からの浮きをなくして接着性を向上したイオントフォレーシス用レセプターデバイスを提供する。【解決手段】  イオントフォレーシス用レセプターデバイスにおいて、レセプター２１を浮きが生じないように乳房に接着させるための花弁２１Ｂをレセプター支持体２１Ａに形成するようにした。【選択図】  図４
2012176154.tif 000002
【特許請求の範囲】
【請求項１】
ドナーの周辺部に絶縁部を介して乳房に装着するイオントフォレーシス用レセプターデバイスにおいて、レセプターを浮きが生じないように乳房に接着させるための形状をレセプター支持体に形成したことを特徴とするイオントフォレーシス用レセプターデバイス。
【請求項２】
請求項１記載のイオントフォレーシス用レセプターデバイスにおいて、前記形状を花弁状としたことを特徴とするイオントフォレーシス用レセプターデバイス。
【請求項３】
請求項２記載のイオントフォレーシス用レセプターデバイスにおいて、前記花弁を前記レセプター支持体の内周部に形成することを特徴とするイオントフォレーシス用レセプターデバイス。
【請求項４】
請求項３記載のイオントフォレーシス用レセプターデバイスにおいて、前記レセプター支持体の内周１００ｍｍあたり前記花弁を６〜１２個形成し、かつ該花弁の高さを５〜１０ｍｍとしたことを特徴とするイオントフォレーシス用レセプターデバイス。
【請求項５】
請求項４記載のイオントフォレーシス用レセプターデバイスにおいて、前記レセプター支持体の内径が３２ｍｍ、外径が７０ｍｍである場合、前記花弁を６個形成し、かつ該花弁の高さを５ｍｍとしたことを特徴とするイオントフォレーシス用レセプターデバイス。
【請求項６】
請求項４記載のイオントフォレーシス用レセプターデバイスにおいて、前記レセプター支持体の内径が３２ｍｍ、外径が７０ｍｍである場合、前記花弁を６個形成し、かつ該花弁の高さを７．５ｍｍとしたことを特徴とするイオントフォレーシス用レセプターデバイス。
【請求項７】
請求項４記載のイオントフォレーシス用レセプターデバイスにおいて、前記レセプター支持体の内径が３２ｍｍ、外径が７０ｍｍである場合、前記花弁を６個形成し、かつ該花弁の高さを１０ｍｍとしたことを特徴とするイオントフォレーシス用レセプターデバイス。
【請求項８】
請求項４記載のイオントフォレーシス用レセプターデバイスにおいて、前記レセプター支持体の内径が３２ｍｍ、外径が７０ｍｍである場合、前記花弁を１２個形成し、かつ該花弁の高さを５ｍｍとしたことを特徴とするイオントフォレーシス用レセプターデバイス。
【請求項９】
請求項１記載のイオントフォレーシス用レセプターデバイスにおいて、前記形状を切り込みとしたことを特徴とするイオントフォレーシス用レセプターデバイス。
【請求項１０】
請求項９記載のイオントフォレーシス用レセプターデバイスにおいて、前記切り込みを前記レセプター支持体の内周部に形成することを特徴とするイオントフォレーシス用レセプターデバイス。
【請求項１１】
請求項１０記載のイオントフォレーシス用レセプターデバイスにおいて、前記レセプター支持体の内周１００ｍｍあたり前記切り込みを４個〜１６個形成し、かつ該切り込みの長さを２．５〜１０ｍｍとしたことを特徴とするイオントフォレーシス用レセプターデバイス。
【請求項１２】
請求項１１記載のイオントフォレーシス用レセプターデバイスにおいて、前記レセプター支持体の内径が３２ｍｍ、外径が７０ｍｍである場合、前記切り込みを４個形成し、かつ該切り込みの長さを５ｍｍとしたことを特徴とするイオントフォレーシス用レセプターデバイス。
【請求項１３】
請求項１１記載のイオントフォレーシス用レセプターデバイスにおいて、前記レセプター支持体の内径が３２ｍｍ、外径が７０ｍｍである場合、前記切り込みを８個形成し、かつ該切り込みの長さを２．５ｍｍとしたことを特徴とするイオントフォレーシス用レセプターデバイス。
【請求項１４】
請求項１１記載のイオントフォレーシス用レセプターデバイスにおいて、前記レセプター支持体の内径が３２ｍｍ、外径が７０ｍｍである場合、前記切り込みを８個形成し、かつ該切り込みの長さを５ｍｍとしたことを特徴とするイオントフォレーシス用レセプターデバイス。
【請求項１５】
請求項１１記載のイオントフォレーシス用レセプターデバイスにおいて、前記レセプター支持体の内径が３２ｍｍ、外径が７０ｍｍである場合、前記切り込みを８個形成し、かつ該切り込みの長さを１０ｍｍとしたことを特徴とするイオントフォレーシス用レセプターデバイス。
【請求項１６】
請求項１１記載のイオントフォレーシス用レセプターデバイスにおいて、前記レセプター支持体の内径が３２ｍｍ、外径が７０ｍｍである場合、前記切り込みを１６個形成し、かつ該切り込みの長さを５ｍｍとしたことを特徴とするイオントフォレーシス用レセプターデバイス。
【発明の詳細な説明】
【技術分野】
【０００１】
本発明は、イオントフォレーシス用レセプターデバイスに係り、特に、ドナーの周辺に絶縁物を介して形成されるイオントフォレーシス用レセプターデバイスに関するものである。
【背景技術】
【０００２】
従来、このようなイオントフォレーシスデバイスとしては、経皮吸収用パッチやイオントフォレーシスデバイスにおいて、これらを皮膚又は粘膜に貼り付けたままの状態で、薬物あるいは薬物イオンの投与を任意に断続できるような構成としたもの（下記特許文献１参照）、薬物イオンの投与効率の低下や皮膚界面におけるｐＨ値の急激な変動を解消できるようにしたもの（下記特許文献２参照）、電極構造体が皮膚又は粘膜に正常に装着されたかどうか判断できるようにしたもの（下記特許文献３参照）が開示されている。更に、乳癌及び／又は乳腺炎治療用イオントフォレーシス製剤として、非ステロイド系消炎鎮痛剤及び／又は抗癌剤を、通電により乳頭部から乳腺内へ局所投与する製剤（下記特許文献４参照）が開示されている。
【０００３】
また、乳頭に装着する器具として、硬質の外側部材と外側部材より柔軟な変形し易い材料でなる内側部材とを備え内側に内部空間を形成する乳頭保護具（下記特許文献５参照）が提案されている。
更に、乳頭の大きさは一般に個人差があるが、２００名（４００乳房）の乳頭を計測し、直径１３ｍｍ±３ｍｍ（平均±標準偏差）、高さ９ｍｍ±３ｍｍ（平均±標準偏差）であることが報告（下記非特許文献１参照）されている。
【先行技術文献】
【特許文献】
【０００４】
【特許文献１】特開２００８−１９４０９１号公報
【特許文献２】特開２００８−０８６５３８号公報
【特許文献３】特開２００８−０３６０１０号公報
【特許文献４】特許第４０００１８５号公報
【特許文献５】特開２００９−２９９２２５号公報
【特許文献６】特願２０１０−２８８１７０号
【非特許文献】
【０００５】
【非特許文献１】臨床解剖研究会記録，Ｎｏ．７，ｐｐ．１６−１７，２００７
【発明の概要】
【発明が解決しようとする課題】
【０００６】
しかしながら、上記したイオントフォレーシス装置及び製剤においては、乳癌及び／又は乳腺炎の治療のため、乳頭から薬物を投与することに適したイオントフォレーシスデバイスは実現されていないのが現状である。
乳頭部を含む乳房に適用できるイオントフォレーシス装置は、例えばブラジャーのパッド型のような立体的な形状が挙げられるが、製造することが困難であったり、保存時にかさばる等の問題がある。
【０００７】
また、乳頭部を保護する乳頭保護具は、乳頭部に対して非接触を保つように保護して使用者の乳頭部に痛みや不快な刺激を与えないものであり、乳頭に製剤を接触させて投与することができないものである。
そこで、本発明者らは、ドナーの周辺部に絶縁部を介してレセプターを備えるイオントフォレーシスデバイスを提案した（上記特許文献６）。
【０００８】
しかし、そのレセプターは円形状をなしており、乳房に装着する場合に、乳房に十分に密着させることができない。すなわち、薬物の投与部位と対極をなす乳房は曲面（凸面）を有する構造であることから、平面状のレセプター電極を貼付することが難しく、経時及び動作などにより皮膚からの剥がれ（浮き）が生じ、安定した通電特性が得られない。
本発明は、上記状況に鑑みて、レセプターの形状を工夫することにより、レセプターの乳房からの浮きをなくして接着性を向上した、イオントフォレーシス用レセプターデバイスを提供することを目的とする。
【課題を解決するための手段】
【０００９】
本発明は、上記目的を達成するために、
〔１〕ドナーの周辺部に絶縁部を介して乳房に装着するイオントフォレーシス用レセプターデバイスにおいて、レセプターを浮きが生じないように乳房に接着させるための形状をレセプター支持体に形成したことを特徴とする。
〔２〕上記〔１〕記載のイオントフォレーシス用レセプターデバイスにおいて、前記形状を花弁状としたことを特徴とする。
【００１０】
〔３〕上記〔２〕記載のイオントフォレーシス用レセプターデバイスにおいて、前記花弁を前記レセプター支持体の内周部に形成することを特徴とする。
〔４〕上記〔３〕記載のイオントフォレーシス用レセプターデバイスにおいて、前記レセプター支持体の内周１００ｍｍあたり前記花弁を６〜１２個形成し、かつこの花弁の高さを５〜１０ｍｍとしたことを特徴とする。
【００１１】
〔５〕上記〔４〕記載のイオントフォレーシス用レセプターデバイスにおいて、前記レセプター支持体の内径が３２ｍｍ、外径が７０ｍｍである場合、前記花弁を６個形成し、かつこの花弁の高さを５ｍｍとしたことを特徴とする。
〔６〕上記〔４〕記載のイオントフォレーシス用レセプターデバイスにおいて、前記レセプター支持体の内径が３２ｍｍ、外径が７０ｍｍである場合、前記花弁を６個形成し、かつこの花弁の高さを７．５ｍｍとしたことを特徴とする。
【００１２】
〔７〕上記〔４〕記載のイオントフォレーシス用レセプターデバイスにおいて、前記レセプター支持体の内径が３２ｍｍ、外径が７０ｍｍである場合、前記花弁を６個形成し、かつこの花弁の高さを１０ｍｍとしたことを特徴とする。
〔８〕上記〔４〕記載のイオントフォレーシス用レセプターデバイスにおいて、前記レセプター支持体の内径が３２ｍｍ、外径が７０ｍｍである場合、前記花弁を１２個形成し、かつこの花弁の高さを５ｍｍとしたことを特徴とする。
【００１３】
〔９〕上記〔１〕記載のイオントフォレーシス用レセプターデバイスにおいて、前記形状を切り込みとしたことを特徴とする。
〔１０〕上記〔９〕記載のイオントフォレーシス用レセプターデバイスにおいて、前記切り込みを前記レセプター支持体の内周部に形成することを特徴とする。
〔１１〕上記〔１０〕記載のイオントフォレーシス用レセプターデバイスにおいて、前記レセプター支持体の内周１００ｍｍあたり前記切り込みを４個〜１６個形成し、かつこの切り込みの長さを２．５〜１０ｍｍとしたことを特徴とする。
【００１４】
〔１２〕上記〔１１〕記載のイオントフォレーシス用レセプターデバイスにおいて、前記レセプター支持体の内径が３２ｍｍ、外径が７０ｍｍである場合、前記切り込みを４個形成し、かつこの切り込みの長さを５ｍｍとしたことを特徴とする。
〔１３〕上記〔１１〕記載のイオントフォレーシス用レセプターデバイスにおいて、前記レセプター支持体の内径が３２ｍｍ、外径が７０ｍｍである場合、前記切り込みを８個形成し、かつこの切り込みの長さを２．５ｍｍとしたことを特徴とする。
【００１５】
〔１４〕上記〔１１〕記載のイオントフォレーシス用レセプターデバイスにおいて、前記レセプター支持体の内径が３２ｍｍ、外径が７０ｍｍである場合、前記切り込みを８個形成し、かつこの切り込みの長さを５ｍｍとしたことを特徴とする。
〔１５〕上記〔１１〕記載のイオントフォレーシス用レセプターデバイスにおいて、前記レセプター支持体の内径が３２ｍｍ、外径が７０ｍｍである場合、前記切り込みを８個形成し、かつこの切り込みの長さを１０ｍｍとしたことを特徴とする。
【００１６】
〔１６〕上記〔１１〕記載のイオントフォレーシス用レセプターデバイスにおいて、前記レセプター支持体の内径が３２ｍｍ、外径が７０ｍｍである場合、前記切り込みを１６個形成し、かつこの切り込みの長さを５ｍｍとしたことを特徴とする。
【発明の効果】
【００１７】
本発明によれば、皮膚に対する追従性を改善して乳房へのイオントフォレーシス用レセプターデバイスの接着を的確に行うことにより、接着面積を安定させ抵抗変化を小さくし、安定な通電による薬物投与を実施することができる。
また、イオントフォレーシス用レセプターデバイスの乳房からの剥がれや浮きによる接着不良によって発生する局在化した通電を防ぎ、皮膚への刺激を低減することができる。
【００１８】
さらに、装着も容易であり、使用感も良好で、かつ美観上も好ましい。
【図面の簡単な説明】
【００１９】
【図１】本発明のイオントフォレーシスデバイスの一例を示す全体概略構成図である。
【図２】本発明のイオントフォレーシスデバイスの一例を示す全体分解斜視図である。
【図３】本発明のイオントフォレーシスデバイスの利用者への装着状態を示す図面代用写真である。
【図４】本発明の第１実施例を示すイオントフォレーシス用レセプターデバイスを示す図である。
【図５】本発明の第２実施例を示すイオントフォレーシス用レセプターデバイスを示す図である。
【図６】本発明の第３実施例を示すイオントフォレーシス用レセプターデバイスを示す図である。
【図７】本発明の第４実施例を示すイオントフォレーシス用レセプターデバイスを示す図である。
【図８】本発明の第５実施例を示すイオントフォレーシス用レセプターデバイスを示す図である。
【図９】第１比較例を示すイオントフォレーシス用レセプターデバイスを示す図である。
【図１０】第２比較例を示すイオントフォレーシス用レセプターデバイスを示す図である。
【図１１】第３比較例を示すイオントフォレーシス用レセプターデバイスを示す図である。
【図１２】本発明の第６実施例を示すイオントフォレーシス用レセプターデバイスを示す図である。
【図１３】本発明の第７実施例を示すイオントフォレーシス用レセプターデバイスを示す図である。
【図１４】本発明の第８実施例を示すイオントフォレーシス用レセプターデバイスを示す図である。
【図１５】本発明の第９実施例を示すイオントフォレーシス用レセプターデバイスを示す図である。
【図１６】本発明の第１０実施例を示すイオントフォレーシス用レセプターデバイスを示す図である。
【図１７】第４比較例を示すイオントフォレーシス用レセプターデバイスを示す図である。
【図１８】第５比較例を示すイオントフォレーシス用レセプターデバイスを示す図である。
【発明を実施するための形態】
【００２０】
本発明のイオントフォレーシス用レセプターデバイスは、ドナーの周辺部に絶縁部を介して乳房に装着するイオントフォレーシス用レセプターデバイスにおいて、レセプターを浮きが生じないように乳房に接着させるための形状をレセプター支持体に形成した。
【実施例】
【００２１】
以下、本発明の実施の形態について詳細に説明する。
図１は本発明のイオントフォレーシスデバイスの一例を示す全体概略構成図、図２はそのイオントフォレーシスデバイスの一例を示す全体分解斜視図、図３はそのイオントフォレーシスデバイスの利用者への装着状態を示す図面代用写真であり、図３（ａ）はその斜視図、図３（ｂ）はその上面図である。
【００２２】
これらの図において、１はドナーであり、皮膚接触部２Ａと伸縮部２Ｂと薬物貯留部２Ｃとからなるドナー支持体２と、電極３と、薬物層４と、皮膚接触部２Ａに積層される粘着剤５とから構成されている。電極３にはドナーのリード部１ｂを介してドナーの接続端子１ａが配置されている。６はレセプターであり、レセプター支持体７と、電極８と、電解質含有粘着剤９と、絶縁部１０とから構成される。レセプター支持体７にはレセプターの接続端子６ａが形成されている。また、１１，１１Ａ，１１Ｂはケーブル、１２ａ，１２ｂ，１２ｃはケーブル１１，１１Ａ，１１Ｂの接続部、１３は電気回路部、１３Ａはスイッチ、１３ＢはＬＥＤ表示灯である。
【００２３】
図１及び図２に示すように、ドナー１の電極３にはリード１ｂと接続端子１ａを介してケーブル１１Ａの接続部１２ｂが、レセプター６の電極８には接続端子６ａを介してケーブル１１Ｂの接続部１２ｃが接続され、それらのケーブル１１Ａ，１１Ｂはケーブル１１の接続部１２ａを介して電気回路部１３に接続されている。なお、電気回路部１３には電源（図示なし）、スイッチ１３Ａ，ＬＥＤ表示灯１３Ｂが配置されている。
【００２４】
ドナー支持体２の中央部に形成される薬物貯留部２Ｃの周りには同心円状のヒダからなる伸縮部２Ｂが形成されている。例えば、ドナー支持体２の材質はシリコンゴムである。このドナー支持体２の薬物貯留部２Ｃに電極３および薬物層４が配置されている。
このような構成のドナー１の薬物層４を乳頭に装着すると、薬物層４が乳頭上部表面に接触するとともに、伸縮部２Ｂの同心円状のヒダによって高さが任意に変化し、薬物層４が乳頭上部表面に密着する。このドナー１の乳頭への密着性、立体への変形の円滑性、使用感は極めて良好である。
【００２５】
一方、レセプター６はドナー１とは絶縁部１０を介して、電解質含有粘着剤９により乳房に貼り付ける。
ドナー１とレセプター６は上記したようにそれぞれケーブル１１，１１Ａ，１１Ｂで電気回路部１３に接続されているので、この電気回路部１３からドナー１とレセプター６に電力を供給すると、イオン浸透効果によって薬物層４中の薬物が乳頭から乳管を介して乳腺組織内の患部に移行する。
【００２６】
本発明においては、レセプター６を乳房に貼り付けた時の浮きを防止し、皮膚への密着性を高めるために、レセプター６の支持体７の内周部の形状に工夫をこらすようにした。特に、レセプター６の支持体７の内周部の形状として、複数個の花弁又は切り込みを配置するようにした。
図４〜図８は本発明の第１〜第５実施例を示すイオントフォレーシス用レセプターデバイスを示す図、図９〜図１１は第１〜第３比較例を示すイオントフォレーシス用レセプターデバイスを示す図であり、図４（ａ）〜図１１（ａ）は支持体の加工形状を示す平面図、図４（ｂ）〜図１１（ｂ）は装着状態を示す平面及び側面図である。
【００２７】
まず、レセプター支持体の内径を３２ｍｍφ、外径を７０ｍｍとしたドーナツ状とした場合〔後述の図１１（ａ）参照〕、図４はレセプター支持体２１Ａの内周部に６個の花弁２１Ｂを有し、その花弁高さ２１Ｃが５ｍｍのレセプター２１、図５はレセプター支持体２２Ａの内周部に６個の花弁２２Ｂを有し、その花弁高さ２２Ｃが５ｍｍでＲ加工処理を施したレセプター２２、図６はレセプター支持体２３Ａの内周部に６個の花弁２３Ｂを有し、その花弁高さ２３Ｃが７．５ｍｍのレセプター２３、図７はレセプター支持体２４Ａの内周部に６個の花弁２４Ｂを有し、その花弁高さ２４Ｃが１０ｍｍのレセプター２４、図８はレセプター支持体２５Ａの内周部に１２個の花弁２５Ｂを有し、その花弁高さ２５Ｃが５ｍｍのレセプター２５をそれぞれ示している。
【００２８】
一方、図９はレセプター支持体４１の内周部に４個の花弁４１Ｂを有し、その花弁高さ４１Ｃが１２．５ｍｍのレセプター４１、図１０はレセプター支持体４２Ａの内周部に２４個の花弁４２Ｂを有し、その花弁高さ４２Ｃが２．５ｍｍのレセプター４２、図１１はレセプター支持体４３Ａの内周部に加工が施されていないレセプター４３をそれぞれ示している。
【００２９】
これらの複数の花弁を有するイオントフォレーシス用レセプターデバイスを用いて、接着性の評価試験を行った。ここでは、模擬乳房〔品名；ヌーブラシームレス、サイズ；Ａ、（株）ヌーブラジャパン〕に導電性粘着剤を介して貼付させた場合の接着面の接着性の程度を評価した。表１にその評価結果を示す。
【００３０】
【表１】
2012176154.tif 000003
表１において、○は問題なく貼付、△は接着面の一部に浮きが生じた、×は接着面に全体的に浮きが生じたことをそれぞれ示している。
緩やかな円錐状の模擬乳房に対して、第１実施例〜第５実施例及び第１比較例〜第３比較例のレセプターを貼付したところ、第１実施例〜第５実施例のレセプターの接着性は良好であり、第１比較例〜第３比較例は接着面の浮きが認められた。以上の結果より、レセプター支持体の内周側に内周１００ｍｍあたり６〜１２個、かつ高さ５〜１０ｍｍの花弁を形成することにより、接着性が良好となることが判明した。なお、花弁形状の内周面のＲ加工処理は、接着性にほとんど影響しなかった。
【００３１】
図１２〜図１６は本発明の第６〜第１０実施例を示すイオントフォレーシス用レセプターデバイスを示す図、図１７，図１８は第４，第５比較例を示すイオントフォレーシス用レセプターデバイスを示す図であり、図１２（ａ）〜図１８（ａ）はレセプター支持体の加工形状を示す平面図、図１２（ｂ）〜図１８（ｂ）は装着状態を示す平面図及び側面図である。
【００３２】
ここでも、レセプター支持体の内径を３２ｍｍφ、外径を７０ｍｍφとしたドーナツ状とした場合〔図１１（ａ）参照〕、図１２はレセプター支持体３１Ａの内周部に４個の切り込み３１Ｂを有し、その切り込み長さ３１Ｃが５ｍｍのレセプター３１、図１３はレセプター支持体３２Ａの内周部に８個の切り込み３２Ｂを有し、その切り込み長さ３２Ｃが２．５ｍｍのレセプター３２、図１４はレセプター支持体３３Ａの内周部に８個の切り込み３３Ｂを有し、その切り込み長さ３３Ｃが５ｍｍのレセプター３３、図１５はレセプター支持体３４Ａの内周部に８個の切り込み３４Ｂを有し、その切り込み長さ３４Ｃが１０ｍｍのレセプター３４、図１６はレセプター支持体３５Ａの内周部に１６個の切り込み３５Ｂを有し、その切り込み長さ３５Ｃが５ｍｍのレセプター３５をそれぞれ示している。
【００３３】
一方、図１７はレセプター支持体４４Ａの内周部に１個の切り込み４４Ｂを有し、その切り込み長さ４４Ｃが５ｍｍのレセプター４４、図１８はレセプター支持体４５Ａの内周部に２個の切り込み４５Ｂを有し、その切り込み長さ４５Ｃが５ｍｍのレセプター４５をそれぞれ示している。なお、第３比較例は上記した図１１と同様である。
これらの複数の切り込みを有するイオントフォレーシス用レセプターデバイスを用いて、接着性の評価試験を行った。試験方法は花弁を有するイオントフォレーシス用レセプターデバイスの接着性評価試験と同様に行った。表２にその評価結果を示す。
【００３４】
【表２】
2012176154.tif 000004
緩やかな円錐状の模擬乳房に対して、第６実施例〜第１０実施例及び第３比較例〜第５比較例のレセプターを貼付したところ、第６実施例〜第１０実施例のレセプターの接着性は良好であり、第３比較例〜第５比較例は接着面の浮きが認められた。以上の結果より、レセプター支持体の内周側に内周１００ｍｍあたり４個〜１６個、かつ高さ２．５〜１０ｍｍの切れ込みを形成することにより、接着性が良好となることが判明した。
【００３５】
また、本発明は、以下のような実施態様とすることも可能である。
（１）上記実施例では、イオントフォレーシス用レセプターの支持体の内周面に花弁又は切り込みを形成する構造としたが、イオントフォレーシス用レセプターの支持体の外周面の形状を工夫するようにしてもよい。特に、美的感覚に敏感な女性の場合、イオントフォレーシスレセプターの浮き防止特性の向上とともに、意匠的美的感覚の向上を図ることも重要である。
【００３６】
（２）また、イオントフォレーシス用レセプターの本体の内周面には、花弁と切り込みを複合的に配置するようにしてもよい。要するに、乳房へ装着する際にレセプターの浮きをなくすように構成したレセプターの支持体の形状であればよい。
（３）また、上記実施例では、ドナーとレセプターとを分離した方式のものについて述べたが、ドナーとレセプターとを同一の保持体により一体的に構成したイオントフォレーシスのレセプターの形状を工夫するようにしたものであってもよい。
【００３７】
なお、本発明は上記実施例に限定されるものではなく、本発明の趣旨に基づき種々の変形が可能であり、これらを本発明の範囲から排除するものではない。
【産業上の利用可能性】
【００３８】
本発明のイオントフォレーシス用レセプターデバイスは、皮膚に対する追従性を改善して乳房へのレセプターデバイスの接触を的確に行うことができるイオントフォレーシス用レセプターデバイスとして利用可能である。
【符号の説明】
【００３９】
１    ドナー
１ａ    ドナーの接続端子
１ｂ    ドナーのリード部
２    ドナー支持体
２Ａ    皮膚接触部
２Ｂ    伸縮部
２Ｃ    薬物貯留部
３    電極
４    薬物層
５    粘着剤
６，２１〜２５，３１〜３５，４１〜４５    レセプター
６ａ    レセプターの接続端子
７，２１Ａ〜２５Ａ，３１Ａ〜３５Ａ，４１Ａ〜４５Ａ    レセプター支持体
８    電極
９    電解質含有粘着剤
１０    絶縁部
１１，１１Ａ，１１Ｂ    ケーブル
１２ａ，１２ｂ，１２ｃ  ケーブルの接続部
１３    電気回路部
１３Ａ    スイッチ
１３Ｂ    ＬＥＤ表示灯
２１Ｂ〜２５Ｂ，４１Ｂ，４２Ｂ    花弁
２１Ｃ〜２５Ｃ，４１Ｃ，４２Ｃ    花弁高さ
３１Ｂ〜３５Ｂ，４４Ｂ，４５Ｂ    切り込み
３１Ｃ〜３５Ｃ，４４Ｃ，４５Ｃ    切り込み長さ
【図１】
2012176154.tif 000005
【図２】
2012176154.tif 000006
【図４】
2012176154.tif 000007
【図５】
2012176154.tif 000008
【図６】
2012176154.tif 000009
【図７】
2012176154.tif 000010
【図８】
2012176154.tif 000011
【図９】
2012176154.tif 000012
【図１０】
2012176154.tif 000013
【図１１】
2012176154.tif 000014
【図１２】
2012176154.tif 000015
【図１３】
2012176154.tif 000016
【図１４】
2012176154.tif 000017
【図１５】
2012176154.tif 000018
【図１６】
2012176154.tif 000019
【図１７】
2012176154.tif 000020
【図１８】
2012176154.tif 000021
【図３】
2012176154.tif 000022